(57)【要約】【課題】  薄型且つ意匠性に優れたＬＥＤ発光エンブレムを提供する。【解決手段】  透明なエンブレムカバー１０２の裏面に備わる所望形状の凹部１０４と、この凹部１０４に施されたメッキ層１０８と、凹部１０４の周縁に設けられた透過領域１０６と、エンブレムカバー１０２の裏面における透過領域１０６以外の部分に施された印刷層１１０と、凹部１０４に嵌合する薄板状の導光板１１４と、この導光板１１４に対して光を照射するＬＥＤ光源１２０と、を備え、導光板１１４によって導かれた光が透過領域１０６を介してエンブレムカバー１０２の表面側に放出される。【選択図】図２
2014004956.tif 000002
【特許請求の範囲】
【請求項１】
透明なエンブレムカバーの裏面に備わる所望形状の凹部と、
当該凹部に施されたメッキ層と、
当該凹部の周縁に設けられた透過領域と、
前記エンブレムカバーの裏面における前記透過領域以外の部分に施された印刷層と、
前記凹部に嵌合する薄板状の導光板と、
当該導光板に対して光を照射するＬＥＤ光源と、を備え、
前記導光板によって導かれた光が前記透過領域を介して前記エンブレムカバーの表面側に放出される
ことを特徴とするＬＥＤ発光エンブレム。
【請求項２】
透明なエンブレムカバーの裏面に備わる所望形状の凹部と、
当該凹部に施されたメッキ層と、
当該凹部の周縁に設けられた透過領域と、
前記エンブレムカバーの裏面における前記透過領域及び前記メッキ層以外の部分に施された印刷層と、
前記凹部に嵌合する薄板状の導光板と、
当該導光板に対して光を照射するＬＥＤ光源と、を備え、
前記導光板によって導かれた光が前記透過領域を介して前記エンブレムカバーの表面側に放出される
ことを特徴とするＬＥＤ発光エンブレム。
【発明の詳細な説明】
【技術分野】
【０００１】
本発明は、自動車をはじめとした各種車両に取り付けるエンブレムであって、特にＬＥＤ光源により発光するエンブレムの技術分野に関する。
【背景技術】
【０００２】
従来、意匠性の向上等を図るべく、様々な発光エンブレムが発明されている。出願人自身も発光エンブレムに関する発明をし、出願済みである（特許文献１参照）。特許文献１に記載される発光エンブレムは、くり抜き部（メーカーロゴマーク等を形作るためにくり抜かれている部分）を有するエンブレムカバーの裏側に導光板やＬＥＤ光源を配置し、当該くり抜き部をムラなく発光させんとするものである。
【先行技術文献】
【特許文献】
【０００３】
【特許文献１】特開２０１２−３８７１２号公報
【発明の概要】
【発明が解決しようとする課題】
【０００４】
しかしながら、特許文献１記載の発光エンブレムの場合、くり抜き部を有することからどうしても当該部分から内部に水分等が侵入する場合がある。特にエンブレムは走行時の風圧を受ける為、当該風圧によって僅かの隙間からでも水分が内部に侵入することもある。これを防止するには厳重にシールする等が必要となるが、コストの増加に繋がると共に、発光エンブレム自体の厚みを増す方向にも作用する。
【０００５】
また、エンブレム自体の更なる意匠性向上及び薄型化も求められており、構造的には薄い構造でありながらも、視覚的には立体感のある発光エンブレムが求められている。
【０００６】
そこで本発明は、上記課題を解決できるＬＥＤ発光エンブレムを提供する事をその課題としている。
【課題を解決するための手段】
【０００７】
上記課題を解決するべく、本願発明は、透明なエンブレムカバー（以下単に「エンブレムカバー」という場合がある。）の裏面に備わる所望形状の凹部と、当該凹部に施されたメッキ層と、当該凹部の周縁に設けられた透過領域と、前記エンブレムカバーの裏面における前記透過領域以外の部分に施された印刷層と、前記凹部に嵌合する薄板状の導光板と、当該導光板に対して光を照射するＬＥＤ光源と、を備え、前記導光板によって導かれた光が前記透過領域を介して前記エンブレムカバーの表面側に放出されることを特徴とする。若しくは、透明なエンブレムカバーの裏面に備わる所望形状の凹部と、当該凹部に施されたメッキ層と、当該凹部の周縁に設けられた透過領域と、前記エンブレムカバーの裏面における前記透過領域及び前記メッキ層以外の部分に施された印刷層と、前記凹部に嵌合する薄板状の導光板と、当該導光板に対して光を照射するＬＥＤ光源と、を備え、前記導光板によって導かれた光が前記透過領域を介して前記エンブレムカバーの表面側に放出されることを特徴とする。
【０００８】
このように、くり抜き部そのものを無くし、透明なエンブレムカバーの裏面に所望形状（具体的にはメーカーロゴマーク等の形状）の凹部を設け、当該凹部に裏面側からメッキ層を形成することによって、薄型ながらも表面から見たときに立体感のあるエンブレムが実現できるようになっている。またくり抜き部そのものが無くなっているので、当該くり抜き部から水分が侵入する等を完全に防止することもできる。メッキ層が形成される凹部の周縁にはエンブレム裏面側から表面側に光を透過することができる透過領域が形成され、更に透過領域以外の部分には光を透過させないための印刷層が設けられているので、当該領域を介してエンブレム表面側に光が放出される構成とされている。これは即ち、表面から見ると透明なエンブレムカバーの中に立体的に（表面から見ると凸形状に）形成されたロゴマーク等の周縁から光が透過してくるので、凸形状のメッキ層に当該透過した光が映り込む等の作用を伴い、独特の意匠性を発揮することが可能となっている。
【０００９】
更に、光を導く導光板は、凹部の所望形状（具体的にはメーカーロゴマーク等の形状）に沿って嵌合しているので、光源からの光を均一にムラなく透過領域全体に行き渡らせることが可能となっている。更に凹部に嵌合していることからエンブレム全体の厚みを薄く構成することもできる。
【発明の効果】
【００１０】
本発明を適用することで、内部への水分の侵入が無く、薄型且つ意匠性の高いＬＥＤ発光エンブレムを提供する事ができる。
【図面の簡単な説明】
【００１１】
【図１】本発明に係るＬＥＤ発光エンブレムの正面図である。
【図２】（ａ）はＡ−Ａ線に沿う断面図、（ｂ）はＢ部周辺拡大図である。
【図３】Ａ−Ａ断面方向から見た分解図である。
【図４】導光板の他の実施例を示した断面図である。
【発明を実施するための形態】
【００１２】
以下、添付図面を参照しつつ、本発明の実施形態の一例であるＬＥＤ発光エンブレム１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１３】
〈ＬＥＤ発光エンブレムの構成〉
図１に示しているように、ＬＥＤ発光エンブレム１００は、正面視略楕円形状に形成されており、エンブレム本体１０１と当該エンブレム本体１０１が嵌合する台座１１２とを備える。この台座１１２は、自動車等の車両ボデー（図示していない。）に固定される。
【００１４】
図２も併せて参照しつつ説明するが、エンブレム本体１０１は、透明な樹脂材料よりなるエンブレムカバー１０２を基礎に構成される。エンブレムカバー１０２の裏面側には、メーカ−ロゴマーク等を象った凹部１０４が形成されている。この凹部１０４は必要に応じて斜面がテーパ状に形成されている。この凹部１０４には、エンブレムカバー１０２の裏面側からメッキによる処理が行われておりメッキ層１０８が形成されている。メッキの種類は特に限定されないが、金属光沢を表現する場合などは特にクロームメッキ処理によるメッキ層が好ましい。これにより、エンブレムカバー１０２を表面側から見ると、透明なエンブレムカバー１０２の中に凸状の立体的なメーカーロゴマーク等が浮かび上がっているような構成となる。
【００１５】
このメッキ層１０８の周りには（即ち凹部１０４の周縁には）、少しの隙間を空けて印刷層１１０が形成されている。この印刷層１１０は例えば特定の模様や色を転写する転写印刷等で実現されていて、エンブレムカバー１０２を表面側から見ると当該印刷層１１０で転写した模様や色を視認することができる。
【００１６】
メッキ層１０８と印刷層１１０との間には少しの隙間（メッキ層も印刷層も存在しない領域）が設けられていて、当該隙間部分を介してエンブレムカバー１０２の裏面側から表面側に光が透過できるように構成されている。この領域を透過領域１０６と定義する。
【００１７】
更にメッキ層１０８や印刷層１１０を含めエンブレムカバー１０２の裏面側全体には、拡散層１０９が形成されている。この拡散層１０９は、例えば、乳半シートを貼付したり、光を拡散する効果のある樹脂などをコーティングすることにより実現されている。なおこの拡散層１０９は必ずしもエンブレムカバー１０２の裏面全体ではなく、必要な部分のみ（例えば透過領域１０６の部分）形成されていてもよい。
【００１８】
このように、エンブレムカバー１０２の裏面側に各種処理（メッキ層１０８、印刷層１１０、拡散層１０９等）が施され、エンブレム本体１０１を構成している。
【００１９】
エンブレム本体１０１の凹部１０４の底（メッキ層１０８や拡散層１０９の更に裏面側）には表面側反射シート１２４が配置されている。この表面側反射シート１２４は例えば表面が白色系の色で構成されていて、受けた光を透過させずに反射させることができる。
【００２０】
更にエンブレム本体１０１の裏面側には導光板１１４が配置される。この導光板１１４は、凹部１０４内に嵌合する凸部１１４ａを備える（図３参照）。更にこの凸部１１４ａには所々に導光板１１４の裏面から表面側に貫通する貫通孔１１４ｂが形成されている。なお、この凸部１１４ａは、凹部１０４の形状（メーカーロゴマーク等を象った形状）に沿って形成されている。
【００２１】
導光板１１４の更に裏面側には、裏面側反射シート１１６が配置される。当該裏面側反射シート１１６には、導光板１１４の貫通孔１１４ｂに対応する位置にＬＥＤ配置孔１１６ａが形成されている。この裏面側反射シート１１６も、表面側反射シート１２４と同様に、表面が白色系の色で構成されていて、受けた光を透過させずに反射させることができる。
【００２２】
裏面側反射シート１１６の更に裏面側には、ＬＥＤ光源１２０を備えた基板１１８が配置される。ＬＥＤ光源１２０は、丁度、裏面側反射シート１１６に形成されたＬＥＤ配置孔１１６ａの位置に収まる位置とされている。
【００２３】
基板１１８は両面テープ１２２により台座１１２に貼付固定される。なお、上記説明した各部材間も図示していないが両面テープや接着剤等で固定される。また、基板１１８は外部電源（図示していない）に接続されていて、電力が供給されるとＬＥＤ光源１２０が発光するように構成される。
【００２４】
〈ＬＥＤ発光エンブレムの作用・機能〉
通電されると、ＬＥＤ光源１２０が発光する。ＬＥＤ光源１２０は、図２（ａ）においても示している通り、導光板１１４の貫通孔１１４ｂ内に光を照射する様に配置されているので、照射された光は当該貫通孔１１４ｂ内を照らすこととなる。貫通孔１１４ｂの表面側には表面側反射シート１２４が配置されているので、照射された光は当該表面側反射シート１２４で反射して行き場を無くし貫通孔１１４ｂの内周面を入光面として導光板１１４全体に拡散する。
【００２５】
導光板１１４全体に拡散した光は、特に導光板１１４の凸部１１４ａの外周面からエンブレムカバー１０２の凹部１０４内に向かって出光する。凹部１０４にはメッキ層１０８が施されているし、透過領域１０６を除いては印刷層１１０が形成されているので、凹部１０４に放たれた光は透過領域１０６を通ってエンブレムカバー１０２の表面側に向かって放出される。なお、透過領域１０６の裏側には拡散層１０９が形成されているので、当該拡散層１０９によってより均一且つムラの無い発光となる。
【００２６】
また、従来のエンブレムのようなくり抜き部を無くし、透明なエンブレムカバー１０２の裏面に所望形状（具体的にはメーカーロゴマーク等の形状）の凹部１０４を設け、この凹部１０４に裏面側からメッキ層１０８を形成することによって、薄型ながらも表面から見たときに立体感のあるエンブレムが実現できるようになっている。またエンブレム本体１０１は全面が透明なエンブレムカバー１０２によって覆われているので、水分が内部に侵入することを完全に防止している。
【００２７】
また、エンブレム本体１０１を表面から見ると透明なエンブレムカバー１０２の中に立体的に（表面から見ると凸形状に）形成されたロゴマーク等の周縁から光が透過してくるので、凸形状のメッキ層１０８に当該透過した光が映り込む等の作用を伴い、独特の意匠性を発揮することが可能となっている。
【００２８】
更に、光を導く導光板１１４の凸部１１４ａは、凹部の所望形状（具体的にはメーカーロゴマーク等の形状）に沿って嵌合しているので、ＬＥＤ光源１２０からの光を均一にムラなく透過領域全体に行き渡らせることが可能となっている。更に凹部１０４に嵌合していることからエンブレム全体の厚みを薄く構成することもできる。
【００２９】
更に、エンブレムカバー１０２自体が透明な材料で構成されていることから、見る角度によって、当該エンブレムカバー１０２自体も一種の導光板として機能し、エンブレムカバー１０２全体がうっすら発光する（もちろん透過領域１０６の部分の発光量が格段に多いためくっきりとした透過領域１０６の発光を妨げない程度にうっすらと発光する。）という従来の発光エンブレムにはない特有の効果も発揮しうる。
【００３０】
〈その他の構成例〉
上記では、エンブレムカバー１０２に施されたメッキ層１０８と印刷層１１０は重なり合っていなかったが、場合によっては重なり合っていても良い。例えば、最初にエンブレムカバー１０２の凹部１０４以外をマスキングしてメッキ層１０８を施した後、次に、透過領域１０６のみをマスキングして透過領域１０６以外に一度に印刷層１１０を形成してもよい。この場合は、メッキ層１０８の裏面側に印刷層１１０が重なることとなる。
【００３１】
また、導光板１１４の構成は上記のものに限られない。例えば図４に示しているように、貫通孔は形成されず、凸部２１４ａの表面側に照射された光を左右に反射拡散できる拡散部２１４（導光板２１４を表面側から見ると凸部２１４ａの頭がすり鉢状に凹んでいる。）を備えた構成としても良い。要は、裏面側に配置されるＬＥＤ光源２２０から受けた光を、導光板２１４全体に拡散することができるかぎり他の構成を採用してもよい。
【００３２】
また、導光板は、凸部のみで構成されていてもよい。即ち、導光板全体がすっぽり凹部１０４内に嵌合することができるように構成してもよい。このように構成すればよりエンブレム全体を薄く構成することが可能となる。
【符号の説明】
【００３３】
１００・・・ＬＥＤ発光エンブレム
１０２・・・透明エンブレムカバー
１０４・・・凹部
１０６・・・透過領域
１０８・・・メッキ層
１０９・・・拡散層
１１０・・・印刷層
１１２・・・台座
１１４・・・導光板
１１４ａ・・・凸部
１１４ｂ・・・貫通孔
１１６・・・裏面側反射シート
１１６ａ・・・ＬＥＤ配置孔
１１８・・・基板
１２０・・・ＬＥＤ光源
１２２・・・両面テープ
１２４・・・表面側反射シート
【図１】
2014004956.tif 000003
【図２】
2014004956.tif 000004
【図３】
2014004956.tif 000005
【図４】
2014004956.tif 000006